(57)【要約】【課題】広い調光範囲、高コントラスト、及び応答速度の向上を実現することができ、かつ、コストの低減を図る。【解決手段】２次元に配列された複数の画素に沿って複数の走査線が配列され、複数の画素に沿って複数の信号線が配列された液晶表示部と、走査線を駆動する走査線ドライバと、信号線を駆動する信号線ドライバと、２以上の連続する走査線分データを一時的に記憶するメモリと、バックライトとしてのランプを制御するランプ点灯回路と、メモリに一時的に記憶されたデータに従って走査される２以上の走査線の全てにおいて、表示期間から黒表示期間への切り替えが同時に行われるように信号線ドライバと走査線ドライバを制御し、また、前記表示期間に前記ランプが点灯され、前記表示期間から黒表示期間への前記切り替えのタイミングで前記ランプが消灯されるようにランプ点灯回路を制御するコントローラを具備する。【選択図】      図２
2007264213.tif 000002
【特許請求の範囲】
【請求項１】
複数の画素が２次元に配列され、前記複数の画素に沿って複数の走査線が配列されるとともに、前記複数の画素に沿って複数の信号線が配列された液晶表示部と、
前記複数の走査線を駆動する走査線ドライバと、
前記複数の信号線を駆動する信号線ドライバと、
前記複数の走査線のうち、２以上の連続する走査線の、１フレーム間のデータを一時的に記憶するメモリと、
バックライトとしてのランプと、
前記ランプを制御するランプ点灯回路と、
前記メモリに一時的に記憶された前記データに従って走査される前記２以上の走査線の全てにおいて、表示期間から黒表示期間への切り替えが同時に行われるように前記信号線ドライバと前記走査線ドライバを制御し、また、前記２以上の走査線の前記表示期間に前記ランプが点灯され、前記２以上の走査線における、前記表示期間から前記黒表示期間への前記切り替えのタイミングで前記ランプが消灯されるように前記ランプ点灯回路を制御するコントローラと、
を具備したことを特徴とする、液晶表示装置。
【請求項２】
前記コントローラは、前記表示期間から前記黒表示期間への前記切り替えのタイミングで一時に黒表示を実現するために、走査線ドライバに黒表示一括書込み信号を供給し、信号線ドライバには黒表示出力信号を供給し、ランプ点灯回路にランプ点灯制御信号を供給する、請求項１記載の液晶表示装置。
【請求項３】
複数の画素が２次元に配列され、前記複数の画素に沿って複数の走査線が配列されるとともに、前記複数の画素に沿って複数の信号線が配列された液晶表示部と、
前記複数の走査線を駆動する走査線ドライバと、
前記複数の信号線を駆動する信号線ドライバと、
前記複数の走査線全ての、１フレーム間のデータを一時的に記憶するメモリと、
バックライトとしてのランプと、
前記ランプを制御するランプ点灯回路と、
前記メモリに一時的に記憶された前記データに従って走査される前記複数の走査線全てにおいて、表示期間から黒表示期間への切り替えが同時に行われるように前記信号線ドライバと前記走査線ドライバを制御し、また、前記複数の走査線全ての前記表示期間に前記ランプが点灯され、前記複数の走査線全てにおける前記表示期間から前記黒表示期間への前記切り替えのタイミングで前記ランプが消灯されるように前記ランプ点灯回路を制御するコントローラと、
を具備したことを特徴とする、液晶表示装置。
【請求項４】
前記コントローラは、前記表示期間から前記黒表示期間への前記切り替えのタイミングで一時に黒表示を実現するために、走査線ドライバに黒表示一括書込み信号を供給し、信号線ドライバには黒表示出力信号を供給し、ランプ点灯回路にランプ点灯制御信号を供給する、請求項３記載の液晶表示装置。
【請求項５】
複数の画素が２次元に配列され、前記複数の画素に沿って複数の走査線が配列されるとともに、前記複数の画素に沿って複数の信号線が配列された液晶表示部であって、複数のブロックに分割された液晶表示部と、
前記複数の走査線を駆動する走査線ドライバと、
前記複数の信号線を駆動する信号線ドライバと、
前記複数の走査線のうち、前記複数のブロックの１つのブロックに対応する走査線の、１フレーム間のデータを一時的に記憶するメモリと、
前記複数のブロックに対応する、バックライトとしての複数のランプと、
前記ランプを制御するランプ点灯回路と、
前記メモリに一時的に記憶された前記データに従って走査される、前記１つのブロックに対応する前記走査線において、表示期間から黒表示期間への切り替えが同時に行われるように前記信号線ドライバと前記走査線ドライバを制御し、また、前記１つのブロックに対応する前記走査線の前記表示期間に前記ランプが点灯され、前記１つのブロックに対応する前記走査線における前記表示期間から前記黒表示期間への前記切り替えのタイミングで前記ランプが消灯されるように前記ランプ点灯回路を制御するコントローラと、
を具備したことを特徴とする、液晶表示装置。
【請求項６】
前記コントローラは、前記表示期間から前記黒表示期間への前記切り替えのタイミングで一時に黒表示を実現するために、走査線ドライバに黒表示一括書込み信号を供給し、信号線ドライバには黒表示出力信号を供給し、ランプ点灯回路にランプ点灯制御信号を供給する、請求項５記載の液晶表示装置。
【請求項７】
複数の画素が２次元に配列され、前記複数の画素に沿って複数の走査線が配列されるとともに、前記複数の画素に沿って複数の信号線が配列された液晶表示部と、
前記複数の走査線を駆動する走査線ドライバと、
前記複数の信号線を駆動する信号線ドライバと、
前記複数の走査線のデータを一時的に記憶するメモリと、
バックライトとしてのランプと、
前記ランプを制御するランプ点灯回路と、
前記走査線ドライバ、前記信号線ドライバ、及び前記ランプ点灯回路を制御するコントローラを具備する、液晶表示装置の駆動方法であって、
前記メモリに、前記複数の走査線のうち、２以上の連続する走査線の１フレーム間のデータを一時的に記憶し、
前記メモリに一時的に記憶された前記データに従って走査される前記２以上の走査線の全てにおいて、表示期間から黒表示期間への切り替えが同時に行われるように前記信号線ドライバと前記走査線ドライバを前記コントローラによって制御し、
前記２以上の走査線の前記表示期間に前記ランプが点灯され、前記２以上の走査線における、前記表示期間から前記黒表示期間への前記切り替えのタイミングで前記ランプが消灯されるように前記ランプ点灯回路を前記コントローラによって制御する、
ことを含んだことを特徴とする、液晶表示装置の駆動方法。
【請求項８】
前記２以上の連続する走査線の前記１フレーム間の前記データを一時的に記憶することは、
前記複数の走査線全ての、前記１フレーム間のデータを一時的に記憶する、
ことを含んだことを特徴とする、請求項７記載の液晶表示装置の駆動方法。
【請求項９】
前記２以上の連続する走査線の前記１フレーム間の前記データを一時的に記憶することは、
前記液晶表示部を複数のブロックに分割し、
前記複数の走査線のうち、前記複数のブロックの１つのブロックに対応する走査線の、１フレーム間のデータを一時的に記憶する、
ことを含んだことを特徴とする、請求項７記載の液晶表示装置の駆動方法。
【請求項１０】
前記信号線ドライバと前記走査線ドライバを前記コントローラによって制御することは、
前記表示期間から前記黒表示期間への前記切り替えのタイミングで一時に黒表示を実現するために、走査線ドライバに黒表示一括書込み信号を供給し、信号線ドライバには黒表示出力信号を供給することを含み、
前記ランプ点灯回路を前記コントローラによって制御することは、
前記ランプ点灯回路にランプ点灯制御信号を供給する、
ことを含んだことを特徴とする、請求項７乃至９のいずれか一項に記載の液晶表示装置の駆動方法。
【発明の詳細な説明】
【技術分野】
【０００１】
本発明は一般に、液晶表示装置及びその駆動方法に関し、特に、ＯＣＢモードの液晶表示装置のバックライト駆動回路及びその駆動方法を改善している。
【背景技術】
【０００２】
近年、液晶表示装置の性能を向上させるために種々の技術が開発されている。そうした技術の一つに、ＯＣＢ（Optically Compensated Bend）液晶技術がある。ＯＣＢ液晶技術では、ガラス基板の間にある液晶分子が、弓なり状態に配向（ベンド配向）され、応答特性と視野角特性の改善が図られている。本明細書では、ＯＣＢ液晶技術を使用した液晶表示装置を「ＯＣＢモードの液晶表示装置」と呼ぶことにする。
【０００３】
一般に液晶表示装置（ＯＣＢモードの液晶表示装置を含む）は、文字や画像等を表示するための液晶表示部（以下、「ＬＣＤセル」と称する）を備える。このＬＣＤセルの直下には、バックライトを構成する複数本のランプが配置される。この複数本のランプを、ＬＣＤセルの走査に同期して順次点灯／消灯することで調光が行われる。このようなバックライトの駆動方法は、バックライト順次点灯方法と呼ばれている。
【０００４】
また、ＯＣＢモードの液晶表示装置では、ＬＣＤセル内の液晶の配向を維持するために、黒表示期間が導入されることがある。さらに、ＯＣＢモードの液晶表示装置では、コントラストを向上させるために、ブリンキングバックライト方法を採用することがある。ブリンキングバックライト方法では、黒表示期間に合わせてバックライトを消灯し、表示期間に合わせてバックライトを点灯させる。また、表示期間中の点灯時間を増減することで、表示面の輝度が調整される。
【０００５】
ところで、表示面上に生じる輝度ムラ等による画質劣化の問題に対処する技術を開示したものとして、例えば、特許文献１がある。この文献は、１フレーム期間において発光時間が占める割合を長くすることにより、良好な表示を実現するために必要な明るさを確保-することを課題としている。このような課題を解決するため、液晶表示装置において、映像信号書き込み期間の前に、映像信号とは異なる非映像信号をすべての画素に書き込むために要する期間が設けられている。この非映像信号書き込み期間に、各画素に非映像信号を書き込む。このようにして、映像信号書き込み期間が開始するよりも前に液晶の応答を開始させる。また、非映像信号書き込み期間の間はバックライトを消灯させることにより、各画素に非映像信号が書き込まれた場合であっても映像が劣化するのを防止する。
【特許文献１】特開２００３−２１５５３５号公報
【発明の開示】
【発明が解決しようとする課題】
【０００６】
従来のバックライト順次点灯方式では、ＬＣＤセルの各走査線の表示期間にバックライトの点灯位相を合わせる必要がある。このため、ＬＣＤセル直下の複数のランプをそれぞれ順次点灯させる必要があった。こうした動作を行わないと、問題が発生することがあるからである。このような問題の例としては、調光できる範囲が狭くなったり、ランプ点灯と走査の干渉による調光ムラが発生したりすることがあり得る。また、各ランプを順次点灯させるためにランプ毎の点灯回路が必要となり、このことがコスト上昇の要因となっていた。
【０００７】
そこで、本発明は、広い調光範囲、高コントラスト、及び応答速度の向上を実現することができ、かつ、コストの低減を図ることができる液晶表示装置及びその駆動方法を提供することを目的とする。
【課題を解決するための手段】
【０００８】
上記課題を解決するために、本発明の一つの面によれば、複数の画素が２次元に配列され、前記複数の画素に沿って複数の走査線が配列されるとともに、前記複数の画素に沿って複数の信号線が配列された液晶表示部と、前記複数の走査線を駆動する走査線ドライバと、前記複数の信号線を駆動する信号線ドライバと、前記複数の走査線のうち、２以上の連続する走査線の、１フレーム間のデータを一時的に記憶するメモリと、バックライトとしてのランプと、前記ランプを制御するランプ点灯回路と、前記メモリに一時的に記憶された前記データに従って走査される前記２以上の走査線の全てにおいて、表示期間から黒表示期間への切り替えが同時に行われるように前記信号線ドライバと前記走査線ドライバを制御し、また、前記２以上の走査線の前記表示期間に前記ランプが点灯され、前記２以上の走査線における、前記表示期間から前記黒表示期間への前記切り替えのタイミングで前記ランプが消灯されるように前記ランプ点灯回路を制御するコントローラを具備する。
【発明の効果】
【０００９】
本発明によれば、広い調光範囲、高コントラスト、及び、応答速度の向上を実現する液晶表示装置をより安価に提供することができる。
【発明を実施するための最良の形態】
【００１０】
以下、本発明の実施形態について図面を参照しながら説明する。
【００１１】
図１は、本発明の一実施形態によるバックライト駆動回路１００を示すブロック図である。バックライト駆動回路１００は、ノートパソコンといった、ＬＣＤセルを備える液晶表示装置（以下、「ＬＣＤ」と称する）に適用することができる。バックライト駆動回路１００は、一般に、フレームメモリ１０、ＬＣＤセル２０、ＬＣＤコントローラ３０、信号線ドライバ５０、走査線ドライバ４０、ランプ６０、及びランプ点灯回路７０を備える。
【００１２】
フレームメモリ１０は、走査速度を上げるために１フレーム（１画面）分の画像を一時的に記憶するメモリである。フレームメモリ１０に記憶されたデータは、ＬＣＤコントローラ３０に供給される。
【００１３】
ＬＣＤセル２０は、文字や画像（静止画及び動画）等を表示するものである。ＬＣＤセル２０には、複数の画素が２次元に配列されており、これらの画素が複数の行及び複数の列を構成している。また、複数の信号線が複数の列に沿って配置され、複数の走査線が複数の行に沿って配置されている。より具体的には、複数の信号線の各々が、複数の列の対応する一つの列に沿って配置される。複数の走査線の各々は、複数の行の対応する一つの行に沿って配置される。走査線ドライバ４０は、複数の走査線を駆動する。信号線ドライバ５０は、複数の信号線を介して複数の画素に表示信号を供給する。
【００１４】
ＬＣＤコントローラ３０は、外部から供給される入力信号と、フレームメモリ１０から供給されるデータに基づいて、ＬＣＤ全体の動作を制御する。
【００１５】
走査線ドライバ４０は、信号線ドライバ５０から供給される信号を画素に書き込む走査パルスを発生する。走査線ドライバ４０には、ＬＣＤコントローラ３０から、通常動作を示す信号と、黒表示一括書き込み信号が供給される。黒表示一括書き込み信号は、黒表示期間の開始時において、ＬＣＤセル２０上で一時に黒表示を実現するための信号である。
【００１６】
信号線ドライバ５０は、上述したように、ＬＣＤセル２０に表示信号を供給する。信号線ドライバ５０には、ＬＣＤコントローラ３０から、通常動作を示す信号と、黒表示出力信号が供給される。黒表示出力信号は、黒表示期間内に一時に信号線に黒表示信号を供給できるようにするための信号である。
【００１７】
ランプ点灯回路７０は、ＬＣＤコントローラ３０からランプ点灯制御信号を受けて、ランプ６０を点灯させる。
【００１８】
次に、図２を参照しつつ、上述したバックライト駆動回路１００に適用し得る、バックライト駆動方法を説明する。
【００１９】
図２は、本発明の一実施形態によるバックライト駆動方法を説明するためのタイミング図である。図２中、（Ａ）はＬＣＤセル２０の光学応答を示し、（Ｂ）はＬＣＤセル２０を照明するランプ６０（バックライト）の発光波形を示し、（Ｃ）は、（Ａ）及び（Ｂ）の結果である、表示面（図示せず）の応答波形を示す。
【００２０】
図２の（Ａ）に示されるように、ＬＣＤセル２０では、表示期間と黒表示期間とが交互に繰り返される。なお、１つの表示期間と１つの黒表示期間とで１フレームが構成される。
【００２１】
また、図２の（Ｂ）に示されるように、ランプ６０（バックライト）は、ＬＣＤセル２０の表示期間に合わせて点灯され、黒表示期間に合わせて消灯される。より具体的には、ＬＣＤセル２０の最後の走査線（図２の（Ａ）では、第ｎ走査線）の表示期間の開始に合わせて、ランプ６０が点灯される。また、図２の（Ａ）中、符号Ｘで示される部分を見れば分かるように、ＬＣＤセル２０の全走査線（図２の（Ａ）では、第１走査線から第ｎ走査線）において、それらの表示期間の後縁と、それらの黒表示期間の前縁とが一致するように制御される。換言すれば、ＬＣＤセル２０の全走査線は、同じタイミングで表示期間から黒表示期間に切り替えられるように制御される。さらに、図２の（Ｂ）中、Ｙで示される部分を見れば分かるように、ランプ６０の点灯から消灯への切り替えタイミングは、ＬＣＤセル２０の表示期間から黒表示期間の切り替えのタイミングと一致するように制御される。
【００２２】
このようなバックライト駆動方法を実現するため、黒表示期間の開始タイミングで、全走査線において一時に黒表示を実現するため、ＬＣＤコントローラ３０から走査線ドライバ４０に黒表示一括書き込み信号が供給される。これにより、全走査線を一時に書き込むことが可能になる。また、ＬＣＤコントローラ３０から信号線ドライバ５０に黒表示出力信号が供給され、黒表示期間内に一時に信号線に黒表示信号を供給できるようにしている。さらに、ランプ点灯回路７０は、上述したように、ＬＣＤコントローラ３０からの点灯制御信号を受けて点灯が制御されるように構成されている。
【００２３】
上述したように、本実施形態によるバックライト駆動方法では、ＬＣＤセル２０の走査を、入力信号を供給する前に行い、複数本のランプ６０（すなわち、バックライト）を一括で点灯させる。このようにして、全走査線（第１走査線から第ｎ走査線）からの表示面の応答が一様になるようにする。従って、従来のバックライト順次点灯方式のように、ランプ毎に点灯回路を用意する必要がなくなり、ランプ点灯回路７０のみを備えれば足りる。よって、調光範囲が広く、安価な液晶表示装置が得られる。
【００２４】
また、一般に、ＯＣＢモードの液晶表示装置では、ＬＣＤセル（ここでは、ＬＣＤセル２０）の応答速度の方が、バックライト（ここでは、ランプ６０）の応答速度よりも速い。このことを利用して、バックライトの点灯から消灯への切り替えタイミング（図２中、Ｙで示される部分）を、ＬＣＤセルの表示期間から黒表示期間へのタイミング（図２中、Ｘで示される部分）と一致させる。このようにして、表示面で観察される光学応答の立下り（図２中、Ｚで示される部分）を急峻にすることができる。従って、高コントラストで、応答速度の速い液晶表示装置を得ることができる。
【００２５】
なお、上述した実施形態では、フレームメモリ１０に、１フレーム（画面）分のデータを保持するようにして、ＬＣＤセル２０の走査速度を上昇させている。しかし、ＬＣＤセル２０を複数のブロックに分割して、フレームメモリ１０で保持するデータ量を少なくすることもできる。例えば、ＬＣＤセル２０を４つのブロックに分割した場合、フレームメモリ１０は、１／４フレーム分のデータを保持すればよいことになる。但し、この場合、ランプ点灯回路は４つ必要になる。このため、ＬＣＤセル２０のブロック数は、全体のコストが少なくなるように決めることができる。
【００２６】
図３及び図４を参照しつつ、ＬＣＤセル２０を複数のブロックに分割した場合に適用し得る実施形態について以下に説明する。
【００２７】
図３は、本発明の一実施形態によるバックライト駆動回路２００を示すブロック図である。図３の駆動回路２００は、図１の駆動回路１００と、フレームメモリの構成、ランプの数、及び、当該ランプを駆動するランプ点灯回路の数の点で相違する。また、図３においては、ＬＣＤセル２０が４つのブロック（第１ブロック、第２ブロック、第３ブロック、及び第４ブロック）に分割されているものとする。なお、図３中、図１と同様の部分には同一の符号を付し、その説明を省略する。
【００２８】
バックライト駆動回路２００では、４つのブロックの各ブロックで図２に示される駆動が行われる。上述した実施形態による駆動回路１００のフレームメモリ１０は、一フレーム間のデータを一時的に記憶する。しかし、本実施形態によるフレームメモリ１２は、１／４フレーム間のデータのみを一時的に記憶する機能を備えているので、ブロックメモリと呼称することもできる。
【００２９】
ランプの数とランプ点灯回路については、図３に示されるように、４つのランプ６１、６２、６３並びに６４、及び、４つのランプ点灯回路７１、７２、７３並びに７４が必要となる。
【００３０】
ランプ点灯回路７１、７２、７３及び７４は、ＬＣＤコントローラ３０によって制御される。より具体的には、ランプ点灯回路７１、７２、７３及び７４は、ＬＣＤコントローラ３０からの信号を受けて、ランプ６１、６２、６３及び６４をそれぞれ点灯させる。
【００３１】
ランプ６１、６２、６３及び６４は、ＬＣＤセル２０の４つのブロックの走査に同期して順次点灯される。例えば、ランプ６１は、第１ブロックの走査に同期してランプ点灯回路７１によって点灯され、ランプ６２は、第２ブロックの走査に同期してランプ点灯回路７２によって点灯され、ランプ６３は、第３ブロックの走査に同期してランプ点灯回路７３によって点灯され、ランプ６４は、第４ブロックの走査に同期してランプ点灯回路７４によって点灯される。
【００３２】
駆動回路２００の、その他の動作については、図１に示される駆動回路１００と同様である。
【００３３】
次に、図４を参照しつつ、上述した駆動回路２００に適用し得る、バックライト駆動方法について説明する。
【００３４】
図４は、本発明の一実施形態によるバックライト駆動方法を説明するためのタイミング図である。図４中、（Ａ）はＬＣＤセル２０の光学応答を示し、（Ｂ）はランプ６１、６２、６３及び６４（バックライト）の発光波形を示し、（Ｃ）は、（Ａ）及び（Ｂ）の結果である、表示面（図示せず）の応答波形を示す。
【００３５】
図３に示した駆動回路２００では、ＬＣＤセル２０が４つのブロックに分割されている。ここでは、説明の都合上、各ブロックがｎ本の走査線から成るものとする。すると、４つのブロックの各々は、第１ブロック（第１走査線から第ｎ走査線）、第２ブロック（第（ｎ＋１）走査線から第２ｎ走査線）、第３ブロック（第（２ｎ＋１）走査線から第３ｎ走査線）、及び、第４ブロック（第（３ｎ＋１）走査線から第４ｎ走査線）と表すことができる。本実施形態によるバックライト駆動方法は、これら４つのブロックのそれぞれに対して、図２に示したバックライト駆動方法を適用する。
【００３６】
以下、ＬＣＤセル２０の各ブロック（ここでは、第１ブロックから第４ブロック）におけるバックライト駆動方法を、より具体的に説明する。
【００３７】
まず、フレームメモリ１２は、第１ブロック分のデータを保持し、このデータがＬＣＤコントローラ３０に供給される。ＬＣＤコントローラ３０は、供給された第１ブロック分のデータに基づいて、走査線ドライバ４０、信号線ドライバ５０、及びランプ点灯回路７１を制御する。ランプ点灯回路７１は、第１ブロックの表示期間にランプ６１を点灯し、その黒表示期間にランプ６１を消灯するように制御される。ランプ６１が点灯されるタイミングは、第１ブロックの最後の走査線、すなわち第ｎ走査線が黒表示期間から表示期間に切り替えられるタイミングと一致するように制御される。一方で、ランプ６１が消灯されるタイミングは、第１ブロックが表示期間から黒表示期間へ切り替えられるタイミングと一致するように制御される。なお、第１ブロックの全走査線において、その表示期間から黒表示期間への切り替えタイミングは一致するように制御される。
【００３８】
より詳細には、走査線ドライバ４０に、第１ブロックに対応する走査線のための黒表示一括書き込み信号が供給される。また、信号線ドライバ５０には、第１ブロックに対応する信号線のための黒表示出力信号が供給される。このようにして、第１ブロックの黒表示期間に、一時に黒表示が実現される。
【００３９】
次に、フレームメモリ１２は、第２ブロック分のデータを保持し、このデータがＬＣＤコントローラ３０に供給される。ＬＣＤコントローラ３０は、供給された第２ブロック分のデータに基づいて、走査線ドライバ４０、信号線ドライバ５０、及びランプ点灯回路７２を制御する。ランプ点灯回路７２は、第２ブロックの表示期間にランプ６２を点灯し、その黒表示期間にランプ６２を消灯するように制御される。ランプ６２が点灯されるタイミングは、第２ブロックの最後の走査線、すなわち第２ｎ走査線が黒表示期間から表示期間に切り替えられるタイミングと一致するように制御される。一方で、ランプ６２が消灯されるタイミングは、第２ブロックが表示期間から黒表示期間へ切り替えられるタイミングと一致するように制御される。なお、第２ブロックの全走査線において、その表示期間から黒表示期間への切り替えタイミングは一致するように制御される。
【００４０】
より詳細には、走査線ドライバ４０に、第２ブロックに対応する走査線のための黒表示一括書き込み信号が供給される。また、信号線ドライバ５０には、第２ブロックに対応する信号線のための黒表示出力信号が供給される。このようにして、第２ブロックの黒表示期間に、一時に黒表示が実現される。
【００４１】
次に、フレームメモリ１２は、第３ブロック分のデータを保持し、このデータがＬＣＤコントローラ３０に供給される。ＬＣＤコントローラ３０は、供給された第３ブロック分のデータに基づいて、信号線ドライバ５０、走査線ドライバ４０、及びランプ点灯回路７３を制御する。ランプ点灯回路７３は、第３ブロックの表示期間にランプ６３を点灯し、その黒表示期間にランプ６３を消灯するように制御される。ランプ６３が点灯されるタイミングは、第３ブロックの最後の走査線、すなわち第３ｎ走査線が黒表示期間から表示期間に切り替えられるタイミングと一致するように制御される。一方で、ランプ６３が消灯されるタイミングは、第３ブロックが表示期間から黒表示期間へ切り替えられるタイミングと一致するように制御される。なお、第３ブロックの全走査線において、その表示期間から黒表示期間への切り替えタイミングは一致するように制御される。
【００４２】
より詳細には、走査線ドライバ４０に、第３ブロックに対応する走査線のための黒表示一括書き込み信号が供給される。また、信号線ドライバ５０には、第３ブロックに対応する信号線のための黒表示出力信号が供給される。このようにして、第３ブロックの黒表示期間に、一時に黒表示が実現される。
【００４３】
次に、フレームメモリ１２は、第４ブロック分のデータを保持し、このデータがＬＣＤコントローラ３０に供給される。ＬＣＤコントローラ３０は、供給された第４ブロック分のデータに基づいて、信号線ドライバ５０、走査線ドライバ４０、及びランプ点灯回路７４を制御する。ランプ点灯回路７４は、第４ブロックの表示期間にランプ６４を点灯し、その黒表示期間にランプ６４を消灯するように制御される。ランプ６４が点灯されるタイミングは、第４ブロックの最後の走査線、すなわち第４ｎ走査線が黒表示期間から表示期間に切り替えられるタイミングと一致するように制御される。一方で、ランプ６４が消灯されるタイミングは、第４ブロックが表示期間から黒表示期間へ切り替えられるタイミングと一致するように制御される。なお、第４ブロックの全走査線において、その表示期間から黒表示期間への切り替えタイミングは一致するように制御される。
【００４４】
より詳細には、走査線ドライバ４０に、第４ブロックに対応する走査線のための黒表示一括書き込み信号が供給される。また、信号線ドライバ５０には、第４ブロックに対応する信号線のための黒表示出力信号が供給される。このようにして、第４ブロックの黒表示期間に、一時に黒表示が実現される。
【００４５】
上記の実施形態では、ＬＣＤセル２０が４つのブロックに分割される場合について説明した。しかし、ＬＣＤセル２０のブロック数は４つに限定されるものではなく、これ以外の数、例えば、２つ、３つ、又は５つ以上のブロックにＬＣＤセル２０を分割してもよい。
【００４６】
また、上記のＬＣＤは、ノートパソコンに限定されるものではない。上記のＬＣＤは、携帯電話、携帯情報端末（ＰＤＡ）、車載端末、携帯ビデオプレーヤー、携帯ゲーム機といった、液晶表示部を備える各種の携帯端末、及び、デスクトップの液晶表示ディスプレイといった固定端末にも適用することができる。
【００４７】
なお、本発明は、上記実施形態そのままに限定されるものではない。本発明は、実施段階では、その要旨を逸脱しない範囲で構成要素を変更して具現化できる。
【００４８】
また、上記実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【００４９】
図５は、本発明の効果を説明するための、従来のＯＣＢモードの液晶表示装置における、バックライト駆動方法のタイミング図である。図５中、（Ａ）はＬＣＤセル（第１走査線から第ｎ走査線）の光学応答を示し、（Ｂ）はこのＬＣＤセルを照明するバックライトの発光波形を示し、（Ｃ）は、（Ａ）及び（Ｂ）の結果である、表示面（図示せず）の応答波形を示す。なお、図５は、ＬＣＤセルの走査に同期して、セルの直下に配置された複数本のランプ（バックライト）を順次点灯又は消灯させて調光を行う方式、すなわち、バックライト順次点灯方式を適用した場合を示している。
【００５０】
図５の（Ａ）を参照すると、ＬＣＤセルでは、走査線毎に表示期間と黒表示期間とが交互に繰り返されている。なお、図１の（Ａ）に示されるように、１フレームは、１つの表示期間と１つの黒表示期間とで構成される。
【００５１】
図５の（Ｂ）を参照すると、各ランプは、当該ランプに対応する複数の走査線の表示期間に合わせて点灯されているのが分かる。例えば、第１ラインから第３ラインに対応するランプは、第１ラインから第３ラインの表示期間に合わせて点灯されている。より具体的には、このランプは、第３ラインの表示期間の開始に合わせて点灯されている。
【００５２】
また、各ランプは、当該ランプに対応する複数の走査線の黒表示期間に合わせて消灯される。例えば、第１ラインから第３ラインに対応する上記ランプは、第１ラインから第３ラインの黒表示期間に合わせて消灯されている。より具体的には、このランプは、第１ラインの黒表示期間の開始に合わせて消灯されている。
【００５３】
図５に示す従来のバックライト駆動方法では、メモリ（図示せず）からコントローラ（図示せず）へのデータの供給は走査線毎に行われる。また、表示期間から黒表示期間へ切り替えるタイミングは、走査線毎に異なる。
【００５４】
これに対して、図２に示す本発明の実施形態では、ＬＣＤセル２０の全走査線の１フレーム間のデータをフレームメモリ１０に一時的に記憶し、コントローラ３０に供給している。また、ＬＣＤセル２０の全走査線において、表示期間から黒表示期間への切り替えタイミングを一致させている。さらに、この切り替えタイミングと、ランプ６０の点灯から消灯への切り替えタイミングとを一致させている。あるいは、図４に示す本発明の実施形態では、ＬＣＤセル２０の各ブロックに対応する全走査線の１フレーム間のデータをブロックメモリ１２に一時的に記憶し、コントローラ３０に供給している。また、各ブロックに対応する全走査線において、表示期間から黒表示期間への切り替えタイミングを一致させている。さらに、この切り替えタイミングと、各ブロックに対応するランプ（６１、６２、６３又は６４）の点灯から消灯への切り替えタイミングとを一致させている。
【図面の簡単な説明】
【００５５】
【図１】本発明の一実施形態によるバックライト駆動回路を示すブロック図である。
【図２】本発明の一実施形態によるバックライト駆動方法を説明するためのタイミング図である。
【図３】本発明の一実施形態によるバックライト駆動回路を示すブロック図である。
【図４】本発明の一実施形態によるバックライト駆動方法を説明するためのタイミング図である。
【図５】従来のＯＣＢモードの液晶表示装置における、バックライト駆動方法を説明するためのタイミング図である。
【符号の説明】
【００５６】
１０…フレームメモリ、１２…フレームメモリ（ブロックメモリ）、２０…ＬＣＤセル、３０…ＬＣＤコントローラ、４０…走査線ドライバ、５０…信号線ドライバ、６０…ランプ、６１…ランプ、６２…ランプ、６３…ランプ、６４…ランプ、７０…ランプ点灯回路、７１…ランプ点灯回路、７２…ランプ点灯回路、７３…ランプ点灯回路、７４…ランプ点灯回路、１００…バックライト駆動回路、２００…バックライト駆動回路
【図１】
2007264213.tif 000003
【図２】
2007264213.tif 000004
【図３】
2007264213.tif 000005
【図４】
2007264213.tif 000006
【図５】
2007264213.tif 000007